(57)【要約】　　　（修正有）【課題】単一の玩具本体でアルファベットや平仮名または片仮名等の文字の書き順や単語の構成などを学習できるようにする。【解決手段】玩具本体１２の表面１２１に、アルファベット２６文字の各文字チップ１１を別々に収納する文字チップ収納部１４を玩具本体表面１２１の縦及び横方向に所定の間隔で配列して設け、玩具本体１２の表面１２１に文字コード生成手段１５を表示部１３に隣接して設ける。アルファベット文字の書き順または単語を学習する場合は、文字チップ収納部１４に収納されているＡ〜Ｚのアルファベット２６文字のうちから、文字チップ１１の１つを選択して取り出し、この文字チップ１１を文字コード生成手段１５にセットすることにより、文字チップ１１の識別文字コードを文字コード生成手段１５で生成し、この文字コードを学習処理手段に取り込んで処理する構成にした。【選択図】　図１
2004070244.tif 000002
【特許請求の範囲】
【請求項１】
アルファベットや平仮名のような文字の書き順や単語の構成などを学習する学習用玩具であって、
アルファベットや平仮名のような文字の種類に対応する文字形状が各文字ごとに形作られ、かつ前記文字の種類ごとに用意された多数の文字チップと、
所定大きさの表面積を有する平盤状の玩具本体と、
前記玩具本体の表面箇所に設けられた表示部と、
前記玩具本体の表面箇所に該表面の縦及び横方向に所定の間隔で配列されるように設けられ、前記種類ごとの各文字チップが個別に着脱可能に収納される多数の文字チップ収納部と、
前記表示部に隣接して前記玩具本体の表面箇所に設けられ、前記文字チップ収納部から選択された前記文字チップが係脱可能にセットされるとともに該セットされた文字チップの文字コードを生成する文字コード生成手段と、
前記文字コード生成手段で生成された文字コードに基づいて学習の結果処理を行う学習処理手段と、
を備えることを特徴とする学習用玩具。
【請求項２】
前記玩具本体の表面箇所には電源スイッチや学習の内容を指定する各種のファンクションキーを有するキーボードが設けられていることを特徴とする請求項１記載の学習用玩具。
【請求項３】
前記玩具本体には、学習の内容や学習の結果を音声で案内するスピーカが内蔵されていることを特徴とする請求項１記載の学習用玩具。
【請求項４】
前記文字コード生成手段は、前記玩具本体に固定される取付基板と、前記取付基板上に積層状態に設けられ、前記文字チップが着脱可能にセットされる文字チップセット板と、前記文字チップセット板の裏面側にマトリックス状に配設されるとともに該文字チップセット板を貫通して文字チップセット板の上面に突出する可動接点を有し、該可動接点が前記文字チップセット板にセットされる文字チップの文字形状に応じてオンまたはオフ動作され、このオンまたはオフ動作により文字を識別するための複数桁の文字コードを生成する複数の文字コード生成スイッチとを備え、前記各文字コード生成スイッチで生成された文字コード信号は前記学習処理手段に出力されるように構成されていることを特徴とする請求項１記載の学習用玩具。
【請求項５】
前記文字チップは、該文字チップの周囲箇所に係合縁部を有し、前記文字チップセット板の周囲箇所には前記係合縁部が係脱させる係合される係止部が形成されていることを特徴とする請求項４記載の学習用玩具。
【発明の詳細な説明】
【０００１】
【発明の属する技術分野】
本発明は、アルファベットや平仮名等の文字の書き順や単語の構成などを学習できるようにした学習用玩具に関するものである。
【０００２】
【従来の技術】
小学校入学前の幼児等を対象にしたアルファベットや平仮名等からなる文字の書き順や単語の構成などを学習できるようにした学習用玩具には種々の方式のものが提案され、その一部は実用に供されている。
【０００３】
例えば、アルファベット文字の書き順やアルファベット文字からなる単語の構成を学習するための学習用玩具は、平盤状を呈する玩具本体の表面の中央箇所にアルファベット文字の書き順または単語を表示するＬＣＤ等の表示部を設け、この表示部を除く玩具本体の表面部分にはアルファベット２６文字を表した文字選択用のタッチ部を文字毎に分離して配列し、さらに、玩具本体の表面部分には電源スイッチや各種のファンクションキーを有するキーボードを配設した構成になっている。
このような従来の学習用玩具において、例えば、「Ａｎｔ：蟻」なる単語を学習する場合は、表示部に「ｎｔ」を表示し、さらに、玩具本体内臓のスピーカから音声により「Ａｎｔ」を発音する。この発音と表示部の表示を確認した学習者は、「Ａｎｔ」の「Ａ」に対応するアルファベット文字が付された文字選択用タッチ部に指先をタッチして、アルファベット文字「Ａ」を選択する。これにより、表示部には「Ａｎｔ」が表示される。この時、選択されたアルファベット文字が適正か否かが、玩具本体内臓の信号処理部で判定され、正しいと判定された場合は次の単語学習へ移行される。また、正しくないと判定された場合は、再度、スピーカから「Ａｎｔ」を発音するとともに、アルファベット文字の選択を案内する。そして、正しくないアルファベットの文字選択が２〜３回程度繰り返された場合は「Ａｎｔ」に関する単語学習を終了し、次の単語学習へ自動的に移行させる。
【０００４】
【発明が解決しようとする課題】
しかし、このような従来の学習用玩具では、各文字選択用のタッチ部が玩具本体に一体的に組み付けられた構造になっているため、文字選択用のタッチ部がアルファベット２６文字に対応するように構成された場合、アルファベット文字専用の学習用玩具となり、平仮名や片仮名文字の学習用玩具としては使用することができない。したがって、平仮名や片仮名文字の学習を行うためには、平仮名または片仮名文字専用の文字選択用タッチ部を有する学習用玩具を新たに購入し用意しなければならない。このことは、文字学習を行う場合の経済的負担が増大するという問題があった。
【０００５】
本発明は、上記のような従来の問題を解決するためになされたもので、単一の玩具本体でアルファベットや平仮名または片仮名等の文字の書き順や単語の構成などを学習できるようにした学習用玩具を提供することを目的とする。
【０００６】
【課題を解決するための手段】
上記目的を達成するために請求項１の発明は、アルファベットや平仮名のような文字の書き順や単語の構成などを学習する学習用玩具であって、アルファベットや平仮名のような文字の種類に対応する文字形状が各文字ごとに形作られ、かつ前記文字の種類ごとに用意された多数の文字チップと、所定大きさの表面積を有する平盤状の玩具本体と、前記玩具本体の表面箇所に設けられた表示部と、前記玩具本体の表面箇所に該表面の縦及び横方向に所定の間隔で配列されるように設けられ、前記種類ごとの各文字チップが個別に着脱可能に収納される多数の文字チップ収納部と、前記表示部に隣接して前記玩具本体の表面箇所に設けられ、前記文字チップ収納部から選択された前記文字チップが係脱可能にセットされるとともに該セットされた文字チップの文字コードを生成する文字コード生成手段と、前記文字コード生成手段で取り込まれた文字コードに基づいて学習の結果処理を行う学習処理手段とを備えることを特徴とする。
【０００７】
請求項２の発明は、請求項１記載の学習用玩具において、前記玩具本体の表面箇所には電源スイッチや学習の内容を指定する各種のファンクションキーを有するキーボードが設けられていることを特徴とする。
【０００８】
請求項３の発明は、請求項１記載の学習用玩具において、前記玩具本体には、学習の内容や学習の結果を音声で案内するスピーカが内蔵されていることを特徴とする。
【０００９】
請求項４の発明は、請求項１記載の学習用玩具において、前記文字コード生成手段は、前記玩具本体に固定される取付基板と、前記取付基板上に積層状態に設けられ、前記文字チップが着脱可能にセットされる文字チップセット板と、前記文字チップセット板の裏面側にマトリックス状に配設されるとともに該文字チップセット板を貫通して文字チップセット板の上面に突出する可動接点を有し、該可動接点が前記文字チップセット板にセットされる文字チップの文字形状に応じてオンまたはオフ動作され、このオンまたはオフ動作により文字を識別するための複数桁の文字コードを生成する複数の文字コード生成スイッチとを備え、前記各文字コード生成スイッチで生成された文字コード信号は前記学習処理手段に出力されるように構成されていることを特徴とする。
【００１０】
請求項５の発明は、請求項４記載の学習用玩具において、前記文字チップは、該文字チップの周囲箇所に係合縁部を有し、前記文字チップセット板の周囲箇所には前記係合縁部が係脱させる係合される係止部が形成されていることを特徴とする。
【００１１】
【発明の実施の形態】
以下、本発明の実施の形態について、図面を参照して説明する。
図１は本発明にかかる学習用玩具の一実施の形態を示す全体の平面図、図２は本発明の一実施の形態における学習用玩具の側面図、図３は本発明の一実施の形態におけるアルファベット２６文字の各文字チップと文字コード生成手段の文字コード出力スイッチとの関係を示す説明図、図４は本発明の一実施の形態における文字コード生成手段の構成を示す平面図、図５は図４の５−５線に沿う拡大断面図、図６は本発明の一実施の形態における文字コード生成手段の文字コード出力スイッチ及びキーボードと学習処理手段の接続関係を示す回路図である。
【００１２】
図１及び図２において、学習用玩具１０は、文字チップ１１と、玩具本体１２と、表示部１３と、文字チップ収納部１４と、文字コード生成手段１５と、キーボード部１６等を備える。
【００１３】
上記文字チップ１１は、図３に示すように、Ａ〜Ｚのアルファベット２６文字のそれぞれに対応する文字形状に合成樹脂材により形作られており、さらに、Ａ〜Ｚの各文字チップ１１の周囲箇所には係合縁部１１１が形成されている。
【００１４】
上記玩具本体１２は、図１及び図２に示すように、所定大きさの表面積を有する平盤状に形成され、この玩具本体１２の下面には、この玩具本体１２をその表面１２１がテーブル等の水平面に対して傾斜された状態に保持する台部１２２が一体に設けられている。
【００１５】
上記表示部１３はアルファベット２６文字（Ａ〜Ｚ）の書き順や学習単語などを表示するもので、ＬＣＤから構成され、図１に示すように、玩具本体１２の表面１２１の中央箇所に設けられている。
【００１６】
また、上記文字チップ収納部１４は、Ａ〜Ｚのアルファベット２６文字に相当する各文字チップ１１を個別に着脱可能に収納するもので、図１に示すように、玩具本体１２の表面１２１に、この表面１２１の縦及び横方向に所定の間隔で配列された状態に設けられている。
【００１７】
上記文字コード生成手段１５は、これに係脱可能にセットされた文字チップ１１の文字を識別するための文字コードを生成するもので、図１に示すように、表示部１３の左端に隣接して玩具本体１２の表面１２１に設けられている。
【００１８】
また、上記文字コード生成手段１５は、図４及び図５に示すように、玩具本体１２に固定される矩形状の取付基板１５１と、この取付基板１５１上に積層状態に設けられ、文字チップ１１が着脱可能にセットされる矩形状の文字チップセット板１５２と、取付基板１５１と文字チップセット板１５２との間に配置された配線基板１５３と、文字チップセット板１５２の裏面側にマトリックス状に配設され、文字チップセット板１５２にセットされる文字チップ１１の文字形状に応じてオンまたはオフ動作され、このオンまたはオフ動作により文字を識別するための複数桁の文字コード、例えば９桁の文字コードを生成する９個の文字コード生成スイッチ１５４とを備える。
【００１９】
上記文字チップセット板１５２は、図４及び図５に示すように、その四周囲箇所にそれぞれ鉛直に設けられた文字チップ保持片１５２Ａを有し、この各文字チップ保持片１５２Ａは、文字チップセット板１５２の内外方向に揺動できるように構成され、さらに、各文字チップ保持片１５２Ａの上端には上記文字チップ１１の係合縁部１１１が係脱される係止部１５２ｂが内方へ突出して形成されている。
【００２０】
また、上記文字コード生成スイッチ１５４は、図５に示すように、可動接点１５４ａと、固定接点１５４ｂを備え、可動接点１５４ａは文字チップセット板１５２の裏面に装着した可撓性の弾性絶縁材１５４ｃ内に収容され、この弾性絶縁材１５４ｃを含む可動接点１５４ａの上端は文字チップセット板１５２を貫通して文字チップセット板１５２の上面に突出され、その先端は、文字チップセット板１５２上にセットされた文字チップ１１の下面で選択的に押圧される構成になっている。また、上記固定接点１５４ｂは可動接点１５４ａに相対向して配線基板１５３に固定され、可動接点１５４ａの先端が文字チップ１１の下面で押圧された時に可動接点１５４ａと固定接点１５４ｂが接触してオン信号が取り出されるように構成されている。
【００２１】
なお、可動接点１５４ａの先端が文字チップ１１により押圧されない時は可動接点１５４ａと固定接点１５４ｂは接触されず、これにより、オフ信号が取り出されるようになっている。
【００２２】
上記キーボード部１６は、図１に示すように、玩具本体１２の表面１２１の下側箇所に配設されるもので、音量の切り替えを兼ねたスライド式の電源スイッチ１６１と、学習モードと学習内容を選択するシーソタイプの学習選択キー１６２と、この学習選択キー１６２で選択された学習モードを動作状態に設定するＡＣＴキー１６３と、文字コード生成手段１５の文字チップセット板１５２上にセットされた文字チップ１１が正しいか否かを確認するためのＥＮＴＥＲキー１６４等を備え、学習選択キー１６２、ＡＣＴキー１６３及びＥＮＴＥＲキー１６４はファンクションキーを構成する。また、１６５は表示ランプである。
【００２３】
また、玩具本体１２の内側には、学習の内容や学習の結果を音声で案内するスピーカ１７が設けられている。また、玩具本体１２の上端には携帯用のハンドル１９が設けられている。
【００２４】
次に、図６の構成について説明する。
図６において、９桁の文字コードを構成する各文字コード生成スイッチ１５４の各可動接点１５４ａは配線基板１５３の配線パターンを通して、ＣＰＵからなる学習処理手段１８の入出力ポートＩ／Ｏに接続され、また、各文字コード生成スイッチ１５４の各固定接点１５４ｂはグランドに接続されている。
【００２５】
また、学習処理手段１８のキーボードポートにはキーボード部１６の学習選択キー１６２、ＡＣＴキー１６３及びＥＮＴＥＲキー１６４のファンクションキーが接続され、さらに、学習処理手段１８の表示出力ポートには液晶表示部１３が世知属されている。
【００２６】
上記学習処理手段１８は、学習モードの選択及び学習内容の選択やこれらの音声案内、学習の結果などの処理を行うものである。
【００２７】
次に、このように構成された学習用玩具１０の動作について説明する。
まず、電源スイッチ１６１を操作して電源を投入するとともにスピーカ１７から出力される音量を「高：Ｈｉ」または「低：Ｌｏ」に設定する。次いで、学習選択キー１６２を操作して、学習者の希望する学習の内容を選択する。この時の学習内容は表示部１３に表示されるとともにスピーカ１７から音声により案内される。
【００２８】
ここで、単語学習を行いたい場合は、キーボード部１６上の学習選択キー１６２操作して単語学習モードを選択する。この単語学習モードが選択された時点でＡＣＴキー１６３を操作することにより、学習用玩具１０を単語学習の動作状態に設定する。次に学習選択キー１６２を操作して、単語学習の内容を選択し、その内容を表示部１３に表示されるとともにスピーカ１７から音声により案内する。例えば、「Ｈｏｍｅ」なる単語を学習する場合は、表示部１３に「ｏｍｅ」を表示し、さらに、スピーカ１７から音声により「Ｈｏｍｅ」を発音する。この発音と表示部１３の表示を確認した学習者は、玩具本体１２の文字チップ収納部１４に収納されているＡ〜Ｚのアルファベット２６文字のうちから、「Ｈｏｍｅ」の「Ｈ」に相当する文字チップ１１を選択して取り出し、この「Ｈ」の文字チップ１１を文字コード生成手段１５の文字チップセット板１５２上にセットする。
【００２９】
この「Ｈ」の文字チップ１１が文字チップセット板１５２上にセットされると、図３に示すように、９個の文字コード生成スイッチ１５４のうち、「Ｈ」の文字チップ１１の文字形状に対応する７個の文字コード生成スイッチ１５４がオン動作され、残りの２個の文字コード生成スイッチ１５４がオフ状態におかれる。その結果、「Ｈ」の文字チップ１１に対しては「１０１１１１１０１」のような９桁の識別用文字コードが生成され、この文字コードは学習処理手段１８に取り込まれる。そして、ＥＮＴＥＲキー１６４が操作されることにより確認指令が学習処理手段１８に入力されると、この文字コードを取り込んだ学習処理手段１８は、文字チップセット板１５２上にセットされた文字チップ１１が正しか否かを判定する。ここで、正しいと判定された場合は次の単語学習へ移行される。また、正しくないと判定された場合は、再度、スピーカから「Ｈｏｍｅ」を発音するとともに、アルファベット文字の選択を再案内する。そして、「Ｈｏｍｅ」の構成単語に適合しない「Ｈ」以外のアルファベット文字の選択が２〜３回程度繰り返された場合は「Ｈｏｍｅ」に関する単語学習が自動的に終了し、次の単語学習へ自動的に移行させる。以下、同様な操作を繰り返すことにより単語学習が可能になる。
【００３０】
また、アルファベット文字の書き順を学習する場合は、キーボード部１６上の学習選択キー１６２操作して書き順学習モードを選択する。この書き順学習モードが選択された時点でＡＣＴキー１６３を操作することにより、学習用玩具１０を書き順学習の動作状態に設定する。次に、学習者は、玩具本体１２の文字チップ収納部１４に収納されているＡ〜Ｚのアルファベット２６文字のうちから、例えば「Ｈ」に相当する文字チップ１１を選択して取り出し、この「Ｈ」の文字チップ１１を文字コード生成手段１５の文字チップセット板１５２上にセットする。
【００３１】
この「Ｈ」の文字チップ１１が文字チップセット板１５２上にセットされると、図３に示すように、９個の文字コード生成スイッチ１５４のうち、「Ｈ」の文字チップ１１の文字形状に対応する７個の文字コード生成スイッチ１５４がオン動作され、残りの２個の文字コード生成スイッチ１５４がオフ状態におかれる。その結果、「Ｈ」の文字チップ１１に対しては「１０１１１１１０１」のような９桁の識別用文字コードが生成され、この文字コードは学習処理手段１８に取り込まれる。そして、ＥＮＴＥＲキー１６４が操作されることにより学習処理手段１８に動作すると、この文字コードを取り込んだ学習処理手段１８では、文字チップセット板１５２上にセットされた文字チップ１１の「Ｈ」の書き順が表示部１３に表示させる。したがって、表示部１３の表示動作を目視することにより、アルファベット文字「Ｈ」の書き順を学習することができる。
【００３２】
このような本実施の形態による学習用玩具によれば、玩具本体１２の表面１２１に、アルファベット２６文字の各文字チップ１１を別々に、かつ着脱可能に収納する文字チップ収納部１４を玩具本体表面１２１の縦及び横方向に所定の間隔で配列して設け、玩具本体１２の表面１２１に文字コード生成手段１５を表示部１３の左端に隣接して設け、そして、アルファベット文字の書き順または単語を学習する場合は、玩具本体１２の文字チップ収納部１４に収納されているＡ〜Ｚのアルファベット２６文字のうちから、文字チップ１１の１つを選択して取り出し、この文字チップ１１を文字コード生成手段１５の文字チップセット板１５２上にセットすることにより、セットされた文字チップ１１の識別文字コードを文字コード生成手段１５で生成し、この文字コードを学習処理手段１８に取り込んで処理することにより、アルファベット文字「Ｈ」の書き順や単語の構成などを学習することができる。
【００３３】
また、この実施の形態においては、アルファベット２６文字の各文字チップ１１は玩具本体１１の表面１２１に設けた文字別の文字チップ収納部１４に別々に、かつ着脱可能に収納できる構成になっているため、各文字チップ収納部１４に収納される文字チップ１１をアルファベット文字に代えて仮名文字または片仮名文字からなる文字チップと交換することができる。このため、単一の玩具本体１２でアルファベットや平仮名または片仮名等の文字の書き順や単語の構成などを学習することができ、アルファベットや平仮名または片仮名などの文字学習を行う場合の経済的負担を軽減できる。
【００３４】
また、この実施の形態によれば、文字チップセット板１５２の四周囲箇所に文字チップ保持片１５２Ａを設け、この各文字チップ保持片１５２Ａの上端に文字チップ１１の係合縁部１１１が係脱される係止部１５２ｂを内方へ突出して形成したので、文字チップ１１が文字コード生成手段１５の文字チップセット板１５２上にセットされた時に文字チップ１１の係合縁部１１１を係止部１５２ｂに係止することにより、文字チップ１１を文字チップセット板１５２上に保持できるとともに、文字チップ１１の文字コードを構成する文字コード生成スイッチ１５４のオン、オフ状態を安定に保持することができる。
【００３５】
なお、本発明における学習用玩具は、上記実施の形態に示すアルファベット文字の学習に限らず、平仮名文字や片仮名文字、フランスやドイツ文字などの学習にも適用することができる。
【００３６】
また、本発明における玩具本体１１の表面１２１に設ける文字チップ収納部１４の数は、上記実施の形態に示すアルファベット２６文字に相当する数のものに限らず、平仮名文字や片仮名文字に相当する数の文字チップ収納部１４が設けられる構造のものでもよい。
【００３７】
【発明の効果】
以上説明したように本発明の学習用玩具によれば、玩具本体の表面箇所に、アルファベットや平仮名のような文字の種類に対応する各文字チップを別々に、かつ着脱可能に収納する文字チップ収納部を玩具本体表面の縦及び横方向に所定の間隔で配列して設け、さらに、玩具本体の表面に文字コード生成手段を表示部に隣接して設け、そして、アルファベットや平仮名等の文字の書き順または単語を学習する場合は、各文字チップ収納部に収納されている文字のうちから、文字チップの１つを選択して取り出し、この文字チップを文字コード生成手段にセットすることにより、このセットされた文字チップの識別文字コードを文字コード生成手段で生成し、この文字コードを学習処理手段に取り込んで処理することにより、文字の書き順や単語の構成などを学習することができる。
【００３８】
また、本発明によれば、各文字チップは玩具本体の表面に設けた文字別の文字チップ収納部に別々に、かつ着脱可能に収納できる構成になっているため、各文字チップ収納部に収納される文字チップをアルファベット文字や平仮名文字または片仮名文字などの文字チップに相互に交換することができ、このため、単一の玩具本体でアルファベットや平仮名または片仮名等の文字の書き順や単語の構成などを学習することができ、アルファベットや平仮名または片仮名などの文字学習を行う場合の経済的負担を軽減できるという効果を有する。
【００３９】
また、本発明によれば、文字チップの周囲箇所に係合縁部を設け、この係合縁部を文字チップセット板の周囲箇所に設けた係止部に軽視する構成にしたので、文字チップを文字チップセット板上に安定に保持できるとともに、文字チップの文字コードを構成する文字コード生成スイッチのオン、オフ状態を安定に保持することができる。
【図面の簡単な説明】
【図１】本発明にかかる学習用玩具の一実施の形態を示す全体の平面図である。
【図２】本発明の一実施の形態における学習用玩具の側面図である。
【図３】本発明の一実施の形態におけるアルファベット２６文字の各文字チップと文字コード生成手段の文字コード出力スイッチとの関係を示す説明図である。
【図４】本発明の一実施の形態における文字コード生成手段の構成を示す平面図である。
【図５】図４の５−５線に沿う拡大断面図である。
【図６】本発明の一実施の形態における文字コード生成手段の文字コード出力スイッチ及びキーボードと学習処理手段の接続関係を示す回路図である。
【符号の説明】
１０　　　学習用玩具
１１　　　文字チップ
１２　　　玩具本体
１２１　　表面
１３　　　表示部
１４　　　文字チップ収納部
１５　　　文字コード生成手段
１６　　　キーボード部
１７　　　スピーカ
１８　　　学習処理手段
１５１　　取付基板
１５２　　文字チップセット板
１５３　　配線基板
１５４　　文字コード生成スイッチ
１５４ａ　可動接点
１５４ｂ　固定接点
【図１】
2004070244.tif 000003
【図２】
2004070244.tif 000004
【図３】
2004070244.tif 000005
【図４】
2004070244.tif 000006
【図５】
2004070244.tif 000007
【図６】
2004070244.tif 000008